(57)【特許請求の範囲】
【請求項１】
紙幣やカード等を受け入れる受入部と、
この受入部からの紙幣、カード等を搬送する搬送部を有し、
前記搬送部は、複数の搬送ユニットを連結して構成されており、
各搬送ユニットの任意の位置に折曲部が形成されており、
各搬送ユニットは、当該搬送ユニットの前端側と後端側に配置された２つの回転プーリ間に環状に掛け渡された平帯状のベルト部材を搬送方向に沿って対向配置した１対の搬送ベルト対を備えており、
前記折曲部は、
各搬送ユニットの前端から前記折曲部まで延びている前フレームの後端に形成された固定穴と、
各搬送ユニットの後端から前記折曲部まで延びている後フレームの前端に取り付けられており、搬送方向に延びるスライド溝が形成されている接続ヒンジ片と、
前記スライド溝内の任意の位置に前記前フレームと前記後フレームが任意の角度をなすように前記固定穴を位置合わせした状態で、前記スライド溝に挿通され前記固定穴に螺合されることにより、前記前フレームと前記接続ヒンジ片を連結するねじ部材と、
前記前フレームの後端に取り付けられている第１案内プーリと、
前記後フレームの前端に取り付けられている第２案内プーリとを備えており、
各ベルト部材の環状輪郭線の環外に前記第１案内プーリおよび前記第２案内プーリが配置されており、
各ベルト部材は、前記折曲部において、前記第１案内プーリおよび前記第２案内プーリによって折り曲げられた形状に案内されていることを特徴とする搬送装置。
【発明の詳細な説明】
【０００１】
【発明の属する技術分野】
本発明は、紙幣やカード等の搬送装置に関する。
【０００２】
【従来の技術】
従来この種搬送装置として、特開平６−６４７７７号公報（Ｂ６５Ｈ５／０６）には、並設された遊戯台間に配置された紙幣貸出機から挿入された真正紙幣を遊戯台背面に形成された紙幣搬路へ導き、その紙幣搬路の端部に設けられたスタッカーへ収納する装置において、前記紙幣搬路は一対の板部材により形成されるクリアランスとし、その紙幣搬路には搬送手段として相互にほぼ該当する当接するローラ等の回転体を複数対臨ませ、そのローラ等の回転体の駆動手段は前記紙幣搬路以外に設けた紙幣の搬送、収納装置が開示されている。
【０００３】
【発明が解決しようとする課題】
従来、パチスロ店、パチンコ店等に設置されるパチンコ台やスロットマシンなどの遊技機間には、玉貸機またはコイン貸機などが配設されており、遊戯者はその場でパチンコ玉またはコインを借りる事となっている。
【０００４】
これら玉貸機またはコイン貸機は、硬貨以外に紙幣や有価カードなども使えるものがある。この場合、投入された紙幣やカードは、背中合わせに配置された遊技機列（島）の一端、即ち島端に設けられた紙幣、カード回収装置に回収される。そして、この遊技機列は直線状に配置されている。然し乍ら、近年、さまざまな店内レイアウトが要求され、遊戯装置の配置にも自由度が必要となってきた。
【０００５】
従来技術で示す様な紙幣の搬送、収納装置は、直線状に紙幣を搬送するものであるため、遊戯装置も直線状に配置しなければならならず、パチスロ店やパチンコ店が要求するレイアウトの要望に対応できないものであった。
【０００６】
本発明は上述した問題点に鑑みてなされたもので、遊戯装置の配置の自由度を向上する事を目的とした搬送装置を提供する。
【０００７】
【課題を解決するための手段】
上記目的を達成するための手段として、本発明の搬送装置は、
紙幣やカード等を受け入れる受入部と、
この受入部からの紙幣、カード等を搬送する搬送部を有し、
前記搬送部は、複数の搬送ユニットを連結して構成されており、
各搬送ユニットの任意の位置に折曲部が形成されており、
各搬送ユニットは、当該搬送ユニットの前端側と後端側に配置された２つの回転プーリ間に環状に掛け渡された平帯状のベルト部材を搬送方向に沿って対向配置した１対の搬送ベルト対を備えており、
前記折曲部は、
各搬送ユニットの前端から前記折曲部まで延びている前フレームの後端に形成された固定穴と、
各搬送ユニットの後端から前記折曲部まで延びている後フレームの前端に取り付けられており、搬送方向に延びるスライド溝が形成されている接続ヒンジ片と、
前記スライド溝内の任意の位置に前記前フレームと前記後フレームが任意の角度をなすように前記固定穴を位置合わせした状態で、前記スライド溝に挿通され前記固定穴に螺合されることにより、前記前フレームと前記接続ヒンジ片を連結するねじ部材と、
前記前フレームの後端に取り付けられている第１案内プーリと、
前記後フレームの前端に取り付けられている第２案内プーリとを備えており、
各ベルト部材の環状輪郭線の環外に前記第１案内プーリおよび前記第２案内プーリが配置されており、
各ベルト部材は、前記折曲部において、前記第１案内プーリおよび前記第２案内プーリによって折り曲げられた形状に案内されていることを特徴としている。
【０００８】
このような構成により、曲線状乃至折線状に配置した遊戯装置群であっても設置可能な搬送装置を提供できる。また、案内プーリにより、搬送ユニットを折曲してもベルト部材の搬送ユニット外への離脱を防止できると共に、ベルト部材の緩みを防止できる。
【０００９】
また、このような構成により、搬送ユニットの長さや折り曲げ角度の調整が可能となる。よって、ベルト部材の緩みを防止できると共に、様々な遊戯装置群の配置に容易に対応できる。
【００１０】
このとき、前記各ベルト部材が、前記前フレームの後端に取り付けられている第１案内プーリと、前記後フレームの前端に取り付けられている第２案内プーリによって、折り曲げられた形状に案内されていることにより、ベルト部材をより確実に適正な位置に案内できる。
【００１１】
【発明の実施の形態】
以下、本発明の実施の形態を図面に基づいて説明する。
図１はスロットマシン群の島を示す正面図、図２はスロットマシンの側面図、図３は本発明の搬送装置の平面図、図４は本発明の搬送カセットの斜視図、図５は本発明の搬送カセット折曲時の斜視図、図６は搬送カセットの折曲部の拡大平面図、図７は搬送カセットの折曲部の拡大斜視図、図８は搬送カセットの折曲部の拡大斜視図、図９は搬送カセット接続時の斜視図、図１０は搬送カセットの折曲状態を示す平面図、図１１は曲状に形成した搬送カセットの平面図、図１２は接続部分の拡大図、図１３は搬送カセットを接続ユニットにて接続した状態の平面図、図１４は搬送カセットを接続ユニットにて接続した状態の側面図、図１５は搬送カセットを接続ユニットにて接続した状態の平断面図、図１６は搬送カセットを接続ユニットにて接続し、折曲した状態の平面図、図１７は搬送カセットを接続ユニットにて接続し、折曲した状態の平断面図、図１８は他の実施形態を示す接続ユニットの平面図、図１９は他の実施形態を示す接続ユニットの側面図、図２０は搬送カセットを折曲して接続した状態の接続ユニットの平面図である。
【００１２】
図１及び図２における１は、例えばパチンコ店、パチスロ店などに設置される遊技装置であり、本実施形態ではスロットマシンを用いて説明する。但し、本発明は、スロットマシンに限定される事はなく、他の遊技装置、或いはパチンコ遊技機であっても良い。
【００１３】
そして、このスロットマシン１は、横一列に複数台設置されて「島」を形成している。また、各スロットマシン１、１…の横には、紙幣や硬貨にてメダルを貸し出すメダル貸機３が設けられている。
【００１４】
このメダル貸機３には、紙幣や有価カードの一種であるＰカード（本実施形態では紙幣を用いる事とする。）などでのメダル貸しを行なうための受入部、即ち紙幣或いはカードの挿入口４が設けられている。この挿入口４はメダル貸機３の前面上部に設けられており、この挿入口４の下方には、例えば５００円硬貨、１００円硬貨を用いてメダルを貸し出す硬貨投入口５が設けられている。そして、この硬貨投入口５の下方、即ちメダル貸機３の前面下部には投入された硬貨を返却する硬貨返却口６が形成されている。
【００１５】
尚、スロットマシン１に投入されたメダルは、図示しない搬送・研磨システムで研磨され、再びスロットマシン１、又はメダル貸機３に循環供給される。
【００１６】
また、前記メダル貸機３は並設されたスロットマシン１間に設けられ、本実施形態では、２台のスロットマシン１間に１台のメダル貸機３を設けている。但し、各スロットマシン１毎にメダル貸機３が設けられていてもよい。
【００１７】
そして、各スロットマシン１群（島）の上後部には、前記挿入口４から挿入された紙幣を、島端に設置した図示しない両替機、島端メダル貸機、島端玉貸機、Ｐカード販売機などの島端機や紙幣回収金庫に送るための紙幣搬送装置７が設けられている。
【００１８】
また、図３に示す紙幣搬送装置７は、図４乃至図１１に示すユニット化された紙幣搬送部、即ち紙幣搬送カセット８を組み合わせてなるもので、この紙幣搬送カセット８の任意の位置、例えば略中央部では左右方向に折曲可能となっている。更に、この紙幣搬送カセット８は設置場所に対して着脱自在に取り付けられているため、紙幣詰まりの修復や、定期点検の際の作業性を良好に保つ事ができる。
【００１９】
この紙幣搬送カセット８は、紙幣を搬送するため、手前側と奥側に位置する一対の搬送ベルト９、１０が設けられている。これら搬送ベルト９、１０は、相対向して紙幣を略垂直状に挟みこみ、搬送ベルト９、１０を回転駆動させる事により紙幣搬送を行なうものである。
尚、紙幣を垂直状に搬送する事で、紙幣搬送装置７の前後方向の幅を極力狭くする事ができる。
【００２０】
そして、前記搬送ベルト９、１０は、駆動側回転プーリ１１及び従動側回転プーリ１２間に環状のベルト部材１３が掛架されて成るものである。
【００２１】
この搬送ベルト９、１０は、紙幣の進行方向に対して前側に位置する前ユニット１４内、及び後ろ側に位置する後ユニット１５内に跨って設けられている。
【００２２】
また、前ユニット１４は、上側に位置する前上フレーム１６と、前記搬送ベルト９、１０を介して下側に位置する前下フレーム１７と、これら前上フレーム１６及び前下フレーム１７の前後に、着脱自在に設けられた樹脂製の前後カバー１８、１９とより成り、この前後カバー１８、１９の上部には把手１８Ａ、１９Ａが設けられている。
【００２３】
更に、後ユニット１５は、上側に位置する後上フレーム２０と、前記搬送ベルト９、１０を介して下側に位置する後下フレーム２１と、これら後上フレーム２０及び後下フレーム２１の前後に、着脱自在に設けられた樹脂製の前後カバー２２、２３とより成り、この前後カバー２２、２３の上部には把手２２Ａ、２３Ａが設けられている。
【００２４】
そして、後ユニット１５の後上フレーム２０及び後下フレーム２１には、上ヒンジ片２４及び下ヒンジ片２５が設けられており、この上下ヒンジ片２４、２５には、紙幣進行方向と同方向に長穴２４Ａ、２５Ａが形成されている。この長穴２４Ａ、２５Ａは、前記搬送ベルト９、１０に合わせて、前ユニット１４と後ユニット１５の間隔を調整し、ベルト部材１３の弛みを防止するものである。
【００２５】
また、前ユニット１４の前上フレーム１６及び前下フレーム１７には、前記上下ヒンジ片２４、２５の両長穴２４Ａ、２５Ａと合致し、蝶ネジ２６、２７が螺合するネジ穴２８、２９が形成されている。
【００２６】
これら上下ヒンジ片２４、２５、両長穴２４Ａ、２５Ａ、蝶ネジ２６、２７、ネジ穴２８、２９にて折曲可能な折曲部を構成するものである。
【００２７】
更に、この折曲部近傍、即ち、前ユニット１４の前上フレーム１６及び前下フレーム１７の接続端側と、後ユニット１５の後上フレーム２０及び後下フレーム２１の接続端側とには、前記搬送ベルト９、１０の弛みを防止するため、補助プーリ３０及び案内プーリ３１が設けられている。
【００２８】
更にまた、この補助プーリ３０は前記搬送ベルト９、１０のベルト部材１３の環内に位置しており、案内プーリ３１は紙幣搬送カセット８折曲時に紙幣搬送カセット８内方に案内するため、ベルト部材１３の環外に位置している。
【００２９】
尚、これら補助プーリ３０及び案内プーリ３１は、図５に示す如く、ずらせて設けても良いし、図６及び図７に示す如く、それぞれ相対向させても良い。
【００３０】
以上の構成にして、図９及び図１０に示す如く、紙幣搬送カセット８は折曲部にて折曲可能となり、曲線状乃至折線状、即ち図３に示す如きＲ状の島を形成する事ができる事となる。
【００３１】
また、図１１に示す如く、紙幣搬送カセット８を最初から曲状に形成しておいても良い。この場合、左右両方に曲がった紙幣搬送カセット８を用意する事で、所望の島形状に対応する事ができる。
【００３２】
また、図１２に示す如く、紙幣搬送カセット８の一端には、電動モータを備える駆動装置３２の駆動が伝達される駆動側伝達部３３が設けられ、他端には、この駆動側伝達部３３から前記搬送ベルト９、１０を介して回転駆動される従動側伝達部３４が設けられている。尚、本実施形態においては、従動側伝達部３４から駆動側伝達部３３方向に紙幣を搬送するものである。
【００３３】
この駆動側伝達部３３は、前記駆動側回転プーリ１１の駆動側回転軸１１Ａに軸着された一対の駆動ギア３６と、この駆動ギア３６に前記駆動装置３２の駆動を伝達する伝達ギア３７とを備えている。
【００３４】
更に、前記従動側伝達部３４は、前記従動側回転プーリ１２の従動側回転軸１２Ａに軸着された従動ギア３９を備えている。
【００３５】
尚、４０は前記搬送ベルト９、１０間であって、駆動側回転プーリ１１及び従動側回転プーリ１２の上下に位置する紙幣ガイドである。
【００３６】
そして、各紙幣搬送カセット８を接続する際には、一方の紙幣搬送カセット８Ａに設けられた前記駆動側伝達部３３の伝達ギア３７と、他方の紙幣搬送カセット８Ｂに設けられた従動側伝達部３４の従動ギア３９とが噛み合って、一方の紙幣搬送カセット８Ａの駆動を他方の紙幣搬送カセット８Ｂに伝達するものである。
【００３７】
これら紙幣搬送カセット８Ａ、８Ｂは、前ユニット１４の前上フレーム１６及び前下フレーム１７と、後ユニット１５の後上フレーム２０及び後下フレーム２１とが重なり合い、この重なった部分にネジなどの固定部材４１で側方から螺着する事により接続される。
【００３８】
また、一方の紙幣搬送カセット８Ａと他方の紙幣搬送カセット８Ｂとを接続する際、左右方向の接続角度を任意の角度とする事ができる様に形成しても良い。
【００３９】
この様に接続角度を任意の角度とするには、例えば図１３乃至図１７に示す構造とする。
【００４０】
本実施形態では、接続する搬送カセット８Ａ、８Ｂ間に接続ユニット５０を設け、図１３乃至図１５の直線状態の接続から図１６及び図１７に示す折曲状態の接続まで接続角度を任意に調整する事ができる。
【００４１】
以下、接続ユニット５０の構造について説明する。
この接続ユニット５０は、矩形状のユニットケース５１が設けられており、このユニットケース５１内には、一方の搬送カセット８Ｂからの紙幣を他方の搬送カセット８Ａに送るための搬送通路５２が一対の搬送板５３にて形成されている。また、この搬送板５３の紙幣受入側は、互いに外方へ拡大している。
【００４２】
また、前記ユニットケース５１の前後両側面には、前記メダル貸機３の挿入口４にビルバリを介在させて対向位置した導入口５４が形成されており、この導入口５４は、前記搬送通路５２へ合流する導入通路５５と連通している。この様に、導入口５４が前側と奥側の両方に設けられているため、紙幣の搬送方向は左右どちらでも可能となる。
【００４３】
そして、前記導入通路５５はユニットケース５１側面から紙幣搬送方向へＲ状に形成した導入板５６にて形成されている。尚、ビルバリには、独自の紙幣取込駆動装置を有しており、紙幣はビルバリの駆動装置にて導入口５４へ押し込まれる。
【００４４】
更に、前記導入板５６の側方には、導入通路５５を通過する紙幣を、前記搬送通路５２方向へ押し込む一対のガイドプーリ５７が設けられている。そして、前記搬送通路５２の両側にも、前記一方の搬送カセット８Ｂから受け入れた紙幣を、他方の搬送カセット８Ａ方向に送る一対の導入プーリ５８が設けられている。
【００４５】
更にまた、前記ユニットケース５１の紙幣が入出する両側の下辺には、接続ユニット５０に対して各紙幣搬送カセット８Ａ、８Ｂを所定の折曲角度まで許容する角度規制部材５９が設けられている。この角度規制部材５９は、接続ユニット５０側が細く、各紙幣搬送カセット８Ａ、８Ｂ側が外方へ拡大する様に形成されている。
【００４６】
そして、ユニットケース５１の一方の上辺、本実施形態では紙幣搬送カセット８Ｂ側には、折曲軸受部６０が設けられている。
【００４７】
即ち、一方の紙幣搬送カセット８Ｂは上の折曲軸受部６０及び下の角度規制部材５９に、ネジなどの固定部材６１で回動可能に固定されており、他方の紙幣搬送カセット８Ａは下の角度規制部材５９に、固定部材６１で回動可能に固定されている。
【００４８】
また、前記ガイドプーリ５７の上側には、駆動装置３２の図示しないピニオンギアと噛み合うプーリ駆動ギア６２Ａが設けられており、このプーリ駆動ギア６２Ａと噛み合う他方のプーリ駆動ギア６２Ｂが、第一、第二、第三伝達ギア６３、６４、６５を介して前記紙幣搬送カセット８Ａの従動ギア３９に駆動力を伝達する。
【００４９】
更に、ガイドプーリ５７の下側には、一対のプーリ駆動ギア６２のうち、一方のプーリ駆動ギア６２と同軸には連動ギア６６が設けられている。
【００５０】
一方、前記導入プーリ５８の下側にも、下側導入プーリギア６７が設けられており、この下側導入プーリギア６７は仲介ギア６８を介して前記連動ギア６６の駆動力が伝達されるものである。尚、この下側導入プーリギア６７は、一対の導入プーリ５８のうち、いずれか一方の導入プーリ５８に設けられている。
【００５１】
更に、この導入プーリ５８の上側には、一対の上側導入プーリギア６９が設けられており、互いに噛み合って駆動力を伝達している。
【００５２】
尚、前述した連動ギア６６と下側導入プーリギア６７は、手前側のガイドプーリ５７、導入プーリ５８に設けるか、或いは奥側のガイドプーリ５７、導入プーリ５８に設ける。
【００５３】
以上の構造にして、各プーリの駆動と紙幣の搬送、導入について説明する。紙幣搬送カセット８Ｂにて接続ユニット５０に送られた紙幣は、搬送通路５２に送られる。この際、搬送板５３の紙幣受入側は、外方へ拡大している関係上、図１６及び図１７の如く折曲していても確実に搬送通路５２に導く事ができる。
【００５４】
ここで、この接続ユニット５０の各ギアのリンクについて説明する。この接続ユニット５０には前述した如く、電動モータを備える駆動装置３２が設けられており、前記プーリ駆動ギア６２Ａと電動モータのピニオンギアとが噛み合っている。
【００５５】
そして、プーリ駆動ギア６２Ａが回転駆動すると、他方のプーリ駆動ギア６２Ｂが回転し、ガイドプーリ５７が回転駆動する事となる。このガイドプーリ５７の下側には、連動ギア６６が設けられており、この連動ギア６６が仲介ギア６８を介して同じ回転方向に下側導入プーリギア６７を回転駆動させる。
【００５６】
下側導入プーリギア６７が回転する事によって、導入プーリ５８が回転し、更に一対の上側導入プーリギア６９が噛み合って回転するため、前記紙幣搬送カセット８Ｂから送られた紙幣を巻き込み、紙幣搬送カセット８Ａ方向に送る事となる。
【００５７】
また、プーリ駆動ギア６３Ｂが回転する事によって、第一、第二、第三伝達ギア６３、６４、６５を介して前記紙幣搬送カセット８Ａの従動ギア３９を回転させ、従動側回転プーリ１２を回転駆動させる。
【００５８】
従って、接続ユニット５０を紙幣搬送カセット８Ａ方向に送られた紙幣は、紙幣搬送カセット８Ａに導入され、更に次の紙幣搬送カセット８へと送られる事となる。
【００５９】
尚、この各伝達ギア６３、６４、６５は、手前側のプーリ駆動ギア６３Ｂ及び従動ギア３９、若しくは奥側のプーリ駆動ギア６３Ａ及び従動ギア３９と噛み合わせる場合、奇数枚用意すれば良い。
【００６０】
更に、手前側のプーリ駆動ギア６３Ｂ及び奥側の従動ギア３９、若しくは奥側のプーリ駆動ギア６３Ａ及び手前側の従動ギア３９と噛み合わせる場合、偶数枚用意する。
【００６１】
また、ビルバリにて導入通路５５に押し込まれた紙幣は、ガイドプーリ５７にて押されて搬送通路５２に合流し、紙幣搬送カセット８Ａに導入される事となる。
【００６２】
この様な接続ユニット５０の実施形態では、全ての接続ユニット５０に対して駆動装置３２を設けなければならないが、図１８乃至図２０に示す様に、接続ユニット５０と、その前後に接続される紙幣搬送カセット８とをギアなどの駆動伝達手段でリンクさせれば、駆動装置３２は適所に設ければ良い。
【００６３】
即ち、駆動側回転軸１１Ａの下側に下駆動ギア７０を設け、この下駆動ギア７０と、前記下側導入プーリギア６７とを、第四、第五伝達ギア７１、７２を介して駆動の伝達を行なわせる。
【００６４】
本実施形態では、奥側の駆動側回転軸１１Ａの下駆動ギア７０と、手前側の下側導入プーリギア６７との間に、二つの伝達ギア７１、７２が設けられている。
【００６５】
ここで、第五伝達ギア７２は、固定部材６１でもって角度規制部材５９に取り付ける事によって、この第五伝達ギア７２を中心に紙幣搬送カセット８Ｂが回動するため、接続角度を変更してもギアの噛み合わせが変わる事はない。
【００６６】
以上詳述した如く、紙幣搬送カセット８同士の接続角度を任意の角度とする事ができると共に、紙幣搬送カセット８の折曲部にて折曲する事ができるため、更に小さいＲ状の島を形成する事ができる。
【００６７】
尚、本発明の紙幣搬送装置７は、上述した如くユニット化する以外に、現地の島レイアウト、即ち曲線状乃至折線状に配置した遊戯装置１群のレイアウトに対応したパーツを予め用意し、それらのパーツを現地で組み上げて形成しても良い。
【００６８】
【発明の効果】
以上詳述した如く、本発明によると、搬送カセットを折曲可能としたり、搬送カセット自体を最初から曲状に形成したり、更には曲線状乃至折線状に設置可能に搬送装置を設計する事で、曲線状乃至折線状の遊戯装置群などに用いることができる。従って、遊戯装置の配置の自由度を向上する事ができる。
また、搬送カセットを折曲しても、搬送部材、例えば搬送ベルトが搬送カセット外に突出してしまう事を防止できる。従って、搬送カセット折曲時であっても、搬送ベルトを適正な位置に案内する事ができ、信頼性向上を図る事となる。
【図面の簡単な説明】
【図１】スロットマシン群の島を示す正面図である。
【図２】スロットマシンの側面図である。
【図３】本発明の搬送装置の平面図である。
【図４】本発明の搬送カセットの斜視図である。
【図５】本発明の搬送カセット折曲時の斜視図である。
【図６】搬送カセットの折曲部の拡大平面図である。
【図７】搬送カセットの折曲部の拡大斜視図である。
【図８】搬送カセットの折曲部の拡大斜視図である。
【図９】搬送カセット接続時の斜視図である。
【図１０】搬送カセットの折曲状態を示す平面図である。
【図１１】曲状に形成した搬送カセットの平面図である。
【図１２】接続部分の拡大図である。
【図１３】搬送カセットを接続ユニットにて接続した状態の平面図である。
【図１４】搬送カセットを接続ユニットにて接続した状態の側面図である。
【図１５】搬送カセットを接続ユニットにて接続した状態の平断面図である。
【図１６】搬送カセットを接続ユニットにて接続し、折曲した状態の平面図である。
【図１７】搬送カセットを接続ユニットにて接続し、折曲した状態の平断面図である。
【図１８】他の実施形態を示す接続ユニットの平面図である。
【図１９】他の実施形態を示す接続ユニットの側面図である。
【図２０】搬送カセットを折曲して接続した状態の接続ユニットの平面図である。
【符号の説明】
１  スロットマシン
４  挿入口
８  搬送カセット
９  搬送ベルト
１０  搬送ベルト
２４  上ヒンジ片
２４Ａ  長穴
２５  下ヒンジ片
２５Ａ  長穴
２６  蝶ネジ
２７  蝶ネジ
２８  ネジ穴
２９  ネジ穴
【図１】
0004339473.tif 000002
【図２】
0004339473.tif 000003
【図３】
0004339473.tif 000004
【図４】
0004339473.tif 000005
【図５】
0004339473.tif 000006
【図６】
0004339473.tif 000007
【図７】
0004339473.tif 000008
【図８】
0004339473.tif 000009
【図９】
0004339473.tif 000010
【図１０】
0004339473.tif 000011
【図１１】
0004339473.tif 000012
【図１２】
0004339473.tif 000013
【図１３】
0004339473.tif 000014
【図１４】
0004339473.tif 000015
【図１５】
0004339473.tif 000016
【図１６】
0004339473.tif 000017
【図１７】
0004339473.tif 000018
【図１８】
0004339473.tif 000019
【図１９】
0004339473.tif 000020
【図２０】
0004339473.tif 000021